(57)【要約】  本発明は、点火装置、特に火工品の点火に関する。本発明は、さらに、この点火装置（１００）を有する弾薬（２０）に関する。訓練用弾薬（２０）及びその他の非致死性弾薬の使用のより大きい可変性を達成するために、少なくとも１つの発火伝達部材（１）から構成されており、発火伝達部材（１）が爆薬の薄層で被覆されている点火装置（１００）が提案される。発火伝達部材（１）は、雷管のないショックチューブとされてよい。【選択図】図１
2022502619.tif 000002
【特許請求の範囲】
【請求項１】
少なくとも１つの発火伝達部材（１）から構成されており、前記発火伝達部材（１）は、爆薬の薄層によって被覆されている点火装置（１００）。
【請求項２】
前記発火伝達部材（１）の長さ及び／又は形状は、自由に選択し得ることを特徴とする、請求項１に記載の点火装置（１００）。
【請求項３】
前記発火伝達部材（１）は、一方の端部（１．１）において接続スリーブ（２）内に固定して取り付けられていることを特徴とする、請求項１又は請求項２に記載の点火装置（１００）。
【請求項４】
前記発火伝達部材（１）は、他方の端部（１．２）において第２の接続スリーブ（３）の内部、又は、該第２の接続スリーブ（３）上に固定されていることを特徴とする、請求項１から請求項３の何れか一項に記載の点火装置（１００）。
【請求項５】
前記接続スリーブ（２、３）への、又は、前記接続スリーブ（２、３）の内部への前記発火伝達部材（１）の前記端部（１．１、１．２）の固定は、気密かつ水密とされていることを特徴とする、請求項３又は請求項４に記載の点火装置（１００）。
【請求項６】
前記発火伝達部材（１）は、雷管のないショックチューブとされていることを特徴とする、請求項１から請求項５の何れか一項に記載の点火装置（１００）。
【請求項７】
火工品点火薬（５）が、前記発火伝達部材（１）の後ろに設けられていることを特徴とする、請求項１から請求項６の何れか一項に記載の点火装置（１００）。
【請求項８】
前記点火装置（１００）は、モジュール式のアダプタ要素（３０）として設計されていることを特徴とする、請求項１から請求項６の何れか一項に記載の点火装置（１００）。
【請求項９】
長さ及び／又は形状が異なる様々なアダプタ要素（３０）が生成されていることを特徴とする、請求項８に記載の点火装置（１００）。
【請求項１０】
請求項１から請求項９の何れか一項に記載の点火装置（１００）と、火工品要素（６）と、を備えた弾薬（２０）。
【請求項１１】
前記火工品要素（６）は、前記点火装置（１００）を取り付けることができる筐体（１０）内に収容されていることを特徴とする、請求項１０に記載の弾薬（２０）。
【請求項１２】
前記点火装置（１００）の取付けは、前記筐体（１０）に取り付け可能とされている、又は、前記筐体（１）の一部とされている、前記接続スリーブ（３）を介して行われることを特徴とする、請求項１０に記載の弾薬（２０）。
【発明の詳細な説明】
【技術分野】
【０００１】
本発明は、点火装置、特に火工品の点火に関する。本発明は、さらに、この点火装置を有する弾薬に関する。
【背景技術】
【０００２】
現在、訓練用弾薬として、信号弾、スタン弾ともいうレバー付き発煙手榴弾、又は、摩擦火管、チップフレア等が使用されている。弾薬は、雷管による機械的点火によって起爆され、次いで、火工品要素に点火する。ここでの点火経路は、撃針、雷管及び火工品の装薬によって構成されている。方向感覚喪失などの非致死的措置として使用されるスタン弾も同様の構造を有する。
【０００３】
特許文献１は、このような種類のスタン弾を開示している。特許文献２も、スタン弾に統合された装薬を発火させるためのレバーを有するスタン弾について記載している。
【０００４】
ショックチューブを用いた爆薬の起爆は、よく知られている。ショックチューブは、例えば、ダイノ・ノベル社の「Ｎｏｎｅｌ  ＥＺ  ＤＥＴ１．４Ｂ」のように非電気式の起爆システムとされている。ショックチューブは、従来から雷管を点火する。雷管には、ＨＤＸ等の起爆薬が含まれている。
【０００５】
実用においては、ショックチューブシステムは、事前に組み立てられている。すなわち、点火ユニット、ケーブルドラム、ショックチューブ及び雷管付き発火装置が組み立てられた状態で供給されている。ショックチューブの利点は、とりわけ、優れた信頼性及び扱いやすい構造を備えていること並びに電気的又は電磁的影響を受けないことである。この特性によって、防衛技術の分野において多様な組み立て及び幅広い使用が可能とされている。
【０００６】
これに対して欠点は、ショックチューブを雷管又は起爆装置と組み合わせて使用した場合、高い温度及び圧力、又は、起爆波が発生することである。従って、使用は、特別に保護された地域でのみ許可される。このため、警察や軍事部門において、例えば、入口封鎖を含む現実的な進入シミュレーションのために、現在の雷管を備えたショックチューブシステムを訓練用弾薬の点火装置として使用することが妨げられる。
【０００７】
特許文献３は、機械的発火装置、すなわち、可変長のサーモチューブ又はショックチューブ及び雷管から構成される点火装置を軍事又は警察用として挙げているが、このショックチューブシステムの欠点のために、公知の雷管付きショックチューブシステムが、これまでに、特に警察及び軍事部門における訓練用弾薬の点火装置として使用されることがなかった。ここでは、チューブは、発火装置と雷管を包囲して保護管内に取り付けられており、雷管と共に保護チューブから引き出せるように配置かつ形成されている。
【０００８】
特許文献４は、ショックチューブと呼ばれる点火ホースについて記載している。この点火ホースは、内側のポリマー層と、外側のポリマー層と、耐引裂性に優れた補強繊維を備えた少なくとも１つの中間層と、によって多層に構成されている。
【先行技術文献】
【特許文献】
【０００９】
【特許文献１】独国特許出願公開第１０２０１００５２２０９号明細書
【特許文献２】独国特許出願公開第１０２０１６１１１９４７号明細書
【特許文献３】独国実用新案第２０２０１７１０２２５７号明細書
【特許文献４】独国特許出願公開第１０２００６００７４８３号明細書
【発明の概要】
【発明が解決しようとする課題】
【００１０】
本発明の課題は、特に訓練用弾薬又は他の非致死性弾薬に使用可能な可変点火装置を提供することである。
【課題を解決するための手段】
【００１１】
上記の課題は、特許請求項１の特徴によって解決される。有利な実施形態は、従属請求項に記載されている。
【００１２】
本発明は、ショックチューブを火工品と組み合わせて使用することを可能にするといった考えに基づく。この場合、点火は、ショックチューブから火工剤へ直接伝播される。爆発的な実装は、除外される。
【００１３】
点火連鎖は、雷管とショックチューブと混合点火薬との３つのエネルギー要素のみから構成される。雷管は、好ましくは、機械的に変形されて、点火される。機械的作用は、例えば、撃針によって受け取ることができる。雷管は、ショックチューブに作用する。本発明によれば、ショックチューブは、爆薬が蒸着されており、エネルギー的に作用する。混合点火薬自体は、ショックチューブの火炎噴射によって点火される。
【００１４】
装薬は、照明信号弾、例えば吊り星信号弾、発煙弾、閃光、破裂音等を含んでもよい。装薬又は火工品要素は、実装するために混合点火薬によって点火されて効果を発揮する。
【００１５】
ショックチューブは、好ましくは、細い管又はスリーブに組み込まれる。この接続スリーブを用いることによって、雷管が取り付けられている発火側と、火工品混合点火薬が、ショックチューブの火炎噴射によって点火される点火側の両方において、ショックチューブのクランプ又は摩擦係合が保証される。ショックチューブは、好ましくは、両側で気密かつ水密に圧着されている。
【００１６】
接続スリーブの直径は、２ｍｍから５ｍｍの範囲とされるべきである。材料には、好ましくは、金属が選択される。さらに、接続スリーブの長さ及び／又は形状は、自由に選択されてもよいが、ショックチューブに適合させる必要がある。ショックチューブの長さも自由に選択されてもよい。
【００１７】
この基本的な考えは、火工品の単純な代替点火を引き起こすと共に、火工品要素に簡単に取り付けられることを特徴とする。電気点火が行われなければ、電磁感度の問題も存在しなくなる。遮蔽は、必要でなくなる。
【００１８】
様々な長さのフレキシブルな又は可変の点火連鎖及び点火経路は、ここでは、ショックチューブの長さ及び／又は形状を通じて調整可能とされている。様々な雷管／点火薬とレバー等の点火システムとの接続は、引き続き可能とされている。また、遠隔位置から火工品を安全に点火することも可能とされており、装薬（火工品）と点火装置との空間的分離が可能である。これにより、安全上問題のある爆薬を使用せずに、入口爆破の現実的なシミュレーションが提供され得る。
【００１９】
ショックチューブシステムを使用する提案された点火は、例えば、最大５０００ｍ／ｓの極めて高速の点火伝達を可能にする。
【００２０】
ショックチューブシステムは、アダプタの形で実装し得る。従って、現場でも作動条件に対応して、個々に選択したアダプタを、例えば、弾薬に個別にねじ止めすることができ、少なくとも弾薬の装填に接続され得る。
【００２１】
本発明は、図面を用いた例示的な実施形態に基づき詳細に説明される。
【図面の簡単な説明】
【００２２】
【図１】図１は、本発明のアイデアの概略図を示す。
【図２】図２は、可能な適用を示す。
【発明を実施するための形態】
【００２３】
図１には、点火装置１００が、概略的に示されている。点火装置１００は、少なくとも１つの発火伝達部材１を備える。
【００２４】
発火伝達部材１は、特殊な爆薬（詳細には示されていない）の薄層で、例えば蒸着によって、被覆されている。この薄層によっては、わずかな爆発効果しか達成されず、すなわち、起こり得る爆発効果は、最小限に抑えられている。
【００２５】
発火伝達部材１の長さ及び／又は形状は、自由に選択されてもよい。
【００２６】
発火伝達部材１は、点火装置１００に関連する雷管４と点火薬５との間に配置されている。点火薬５は、ここでは、後続の、特に火工品要素６（図２）に対する点火炎を強化するために使用される。点火薬５は、点火装置１００又は弾薬２０の一部とされてもよい。
【００２７】
発火伝達部材１は、好ましくは少なくとも１つのショックチューブとされている。しかしながら、この場合ショックチューブの雷管は不要とされている。
【００２８】
点火装置１００の点火連鎖は、雷管４を介した発火伝達部材１の点火から始まる。次に、発火伝達部材１によって点火薬５が点火される。従来の点火のためにショックチューブを使用する場合のように、発火伝達部材１の爆発波ではなく、形成される火炎が使用される。次に、点火薬５は、また、火工品要素６、例えば弾薬２０の照明剤、発煙剤など（図２）を起爆する。
【００２９】
火工品要素６は、弾薬２０の筐体１０内に収容することができる。これは、訓練用弾薬、スタン弾、又は、その他の非致死性の弾薬とされてよい。
【００３０】
好ましい実施形態では、雷管４は、第１の接続スリーブ２に固定され得る。発火伝達部材１は、一方の（第１の）端部１．１において、第１の接続スリーブ２内に摩擦係合によって固定されている。発火伝達部材１は、雷管４と反対側となる、他方の（第２の）端部において、接続スリーブ３内に同様に摩擦係合によって固定されている。この場合、気密かつ水密な固定が好ましい。気密かつ水密な接続は、例えば、圧着によって実現し得る。
【００３１】
接続スリーブ２、３は、好ましくは２ｍｍから５ｍｍの直径を有してもよい。
【００３２】
第２の接続スリーブ３は、装薬又は火工品要素６が収容されている筐体１０の構成要素の一部とされてもよい。
【００３３】
火工品点火薬５も、筐体１０に収容されてもよい。
【００３４】
代わりに、接続スリーブ３は、筐体１０に、例えば、ねじ込まれてもよい。重要なのは、発火伝達部材１と点火薬５との間の機能的相互作用が保証されることである。
【００３５】
雷管４自体は、例えば、詳細には示されていないレバー、撃針又は同種のものによって発火させることができる。
【００３６】
点火システム又はショックチューブシステムは、モジュール式のアダプタ要素３０として設計することもできる。この場合、アダプタ要素３０は、雷管４、発火伝達部材１及び点火薬５によって形成することができる。ただし、点火薬５は、アダプタ要素３０の構成要素である必要はない。この場合は、接続スリーブ２、３によってアダプタ要素３０を完成させることができる。代わりには、特に、接続スリーブ３は、すでに述べたように弾薬２０の構成要素の一部とされてもよい。
【００３７】
この種類のアダプタ要素３０を製作することにより、異なる長さ及び／又は様々な形状を有するアダプタ要素を設けることができる。アダプタ要素３０の形状は、少なくとも１つのショックチューブ１によって事前に決定することができる。この種類のアダプタ要素３０の利点は、特に、これらのアダプタ要素３０が、これらの使用が計画又は意図されてから初めて弾薬２０と接続されることにある。従って、現場の状況に合わせてアダプタ要素３０を選択することができ、長さ及び／又は形状は、作動状況に対応して決定することができる。
【図１】
2022502619.tif 000003
【図２】
2022502619.tif 000004
【国際調査報告】
2022502619.tif 000005
2022502619.tif 000006
2022502619.tif 000007
2022502619.tif 000008
2022502619.tif 000009
2022502619.tif 000010